(57)【要約】【課題】通風抵抗の少ない風向変更装置により衣類との距離を短くし、かつ広範囲に風を供給でき少ないエネルギーで効率よく衣類を乾燥することのできる衣類乾燥装置を提供することを目的とする。【解決手段】風向変更装置３１として、１８０度回転した際に衣類乾燥装置本体表面パネル位置３２から突出する構成のものを用いることで、衣類と風向変更装置３１の距離を短くできる、風向変更装置３１から出た風が衣類に到達するまでの風の減衰が少なく、衣類乾燥時間を早めることができる衣類乾燥装置を提供することができる。【選択図】図３
2010012000.tif 000002
【特許請求の範囲】
【請求項１】
本体表面パネルに設けられた吸込み口と、本体内部に設けられた吹出し口とを結ぶ空気通路に送風手段を設け、前記吹出し口と前記本体表面パネルの間に設けられ、前記吹出し口から吹出される風の向きを変更する風向変更装置を有し、風を衣類にあてて衣類を乾燥させる衣類乾燥装置において、前記風向変更装置は、送風方向に対して垂直方向に回転軸を有し、前記回転軸方向に風向きを制御する複数のフィンを備え、前記フィンは前記回転軸の両端に近い２枚の前記フィンを反対に傾斜させるように、もしくは、前記回転軸のどちらか一方の端部に近い前記フィンを前記回転軸に対して略垂直に備えられ、前記回転軸を中心に少なくとも１８０度回転でき、前記回転軸と前記フィンが一体である構成であり、前記回転軸の回転により前記回転軸に対する前記フィンの傾斜角度が変わることで前記フィンにより前記吹出し口から吹出される風向きを変更でき、かつ前記回転軸を中心に１８０度回転する間に、前記風向変更装置の前記フィンが前記本体表面パネルから突出することを特徴とする衣類乾燥装置。
【請求項２】
前記回転軸中央から両端に近づくに従い、フィンの傾斜角度が大きくなることを特徴とする請求項１に記載の衣類乾燥装置。
【請求項３】
風向変更装置が、回転により本体表面パネルから突出した際に、フィンが吹出し口側から放射状に広がるよう配置されることを特徴とする請求項１または２記載の衣類乾燥装置。
【請求項４】
回転により風向変更装置と吹出し口との間が最短距離になった際に、前記吹出し口の開口部の両端と、前記風向変更装置のフィンの位置が略一致することを特徴とする請求項１乃至３いずれかに記載の衣類乾燥装置。
【請求項５】
運転停止時に、風向変更装置が本体表面パネルの内部に収納されることを特徴とする請求項１乃至４いずれかに記載の衣類乾燥装置。
【請求項６】
前記風向変更装置の回転方向に風向きを変更するフラップを備え、前記フラップと前記風向変更装置は、それぞれ独立で駆動することを特徴とする請求項１乃至５いずれかに記載の衣類乾燥装置。
【請求項７】
フラップが、速度可変で往復運動ができる往復運動手段を備えたことを特徴とする請求項６に記載の衣類乾燥装置。
【請求項８】
フラップが、複数の往復角で往復運動ができる往復運動手段を備えたことを特徴とする請求項６または７に記載の衣類乾燥装置。
【請求項９】
風向変更装置と、少なくとも１枚以上のフラップを一体化したことを特徴とする請求項１乃至５または請求項７または請求項８いずれかに記載の衣類乾燥装置。
【請求項１０】
フラップが運転停止時に衣類乾燥装置の表面パネル位置で停止することを特徴とする請求項１乃至９いずれかに記載の衣類乾燥装置。
【請求項１１】
風向変更装置のフィンに曲率を設けたことを特徴とする請求項１乃至１０いずれかに記載の衣類乾燥装置。
【請求項１２】
風向変更装置に、回転の位置決め手段を設けたことを特徴とする請求項１乃至１１いずれかに記載の衣類乾燥装置。
【請求項１３】
本体表面パネルに赤外線センサを設けたことを特徴とする請求項１乃至１２いずれかに記載の衣類乾燥装置。
【請求項１４】
空気通路内に除湿手段を設けたことを特徴とする請求項１乃至１３いずれかに記載の衣類乾燥装置。
【請求項１５】
空気通路内に加熱手段を設けたことを特徴とする請求項１乃至１４いずれかに記載の衣類乾燥装置。
【請求項１６】
風向変更装置に、抗菌または／および防カビ加工を施したことを特徴とする請求項１乃至１５いずれかに記載の衣類乾燥装置。
【発明の詳細な説明】
【技術分野】
【０００１】
本発明は、湿潤した衣類を乾燥する衣類乾燥装置に関する。
【背景技術】
【０００２】
従来、この種の衣類乾燥装置として、広範囲に送風して均一に衣類を乾燥させるものが知られている。（例えば、特許文献１参照）また、風を広範囲に均一に当てることを目的として様々な風向変更装置が存在している（例えば、特許文献２参照）。
【０００３】
以下、従来の衣類乾燥装置、風向変更装置の一例について図８、図９を参照しながら説明する。
【０００４】
図８に示すように、乾燥機の吹出し口１０１には空気の送風方向を決める吹出しグリル１０２が設けられ、この吹出しグリル１０２は室内の幅方向に対して真っ直ぐ及びその斜め両側方向に空気を吹出し可能とする吹出し風向板ａ１０３、吹出し風向板ｂ１０４、吹出し風向板ｃ１０５を有している衣類乾燥装置である。
【０００５】
また、図９に示すように、吹出し口２０４に設けられた横軸２０１周りに上下方向に往復動する横ルーバ２０２と、該横ルーバ２０２を上下方向に往復駆動する横ルーバ駆動手段２０３と、吹出し口２０４に設けられ前記横軸に直交する垂直軸２０５周りに左右方向に往復揺動する縦ルーバ２０６と、該縦ルーバ２０６を左右方向に往復駆動する縦ルーバ駆動手段２０７と、横ルーバ駆動手段および縦ルーバ駆動手段２０７を制御する制御部とを備えた風向変更装置である。
【特許文献１】特開２００４−２７８９５６号公報
【特許文献２】特開２００７−２４００６４号公報
【発明の開示】
【発明が解決しようとする課題】
【０００６】
このような従来の衣類乾燥装置では、広範囲に風を送ることができるものの、風の吹出し口と衣類との距離が長いために風が減衰し、衣類乾燥時間が長くなってしまい、結果として衣類乾燥装置を運転する時間が長くなり、エネルギーが多くかかってしまうという課題があった。
【０００７】
また、従来の風向変更装置では、風向変更装置により、衣類との距離を短くし、かつ広範囲に風を送ることができるものの、構成が複雑であり、通風抵抗や風の乱れによる圧力損失が大きく、風が減衰してしまうという課題があった。
【０００８】
本発明は、このような課題を解決するものであり、通風抵抗の少ない風向変更装置により、衣類との距離を短くし、かつ広範囲に風を供給でき、少ないエネルギーで効率よく衣類を乾燥することのできる衣類乾燥装置を提供することを目的としている。
【課題を解決するための手段】
【０００９】
本発明の衣類乾燥装置は、上記目的を達成するために、本体表面パネルに設けられた吸込み口と、本体内部に設けられた吹出し口とを結ぶ空気通路に送風手段を設け、前記吹出し口と本体表面パネルの間に設けられ、前記吹出し口から吹出される風の向きを変更する風向変更装置を有し、風を衣類にあてて衣類を乾燥させる衣類乾燥装置において、前記風向変更装置は、送風方向に対して垂直方向に回転軸を有し、前記回転軸方向に風向きを制御する複数のフィンを備え、前記フィンは前記回転軸の両端に近い２枚の前記フィンを反対に傾斜させるように、もしくは、前記回転軸のどちらか一方の端部に近い前記フィンを前記回転軸に対して略垂直に備えられ、前記回転軸を中心に少なくとも１８０度回転でき、前記回転軸と前記フィンが一体である構成であり、前記回転軸の回転により前記回転軸に対する前記フィンの傾斜角度が変わることで前記フィンにより前記吹出し口から吹出される風向きを変更でき、かつ前記回転軸を中心に１８０度回転する間に、前記風向変更装置の前記フィンが前記本体表面パネルから突出することを特徴とする衣類乾燥装置である。
【発明の効果】
【００１０】
本発明によれば、通風抵抗の少ない風向変更装置により、衣類との距離を短くし、かつ広範囲に風を供給でき、少ないエネルギーで効率よく衣類を乾燥することのできる衣類乾燥装置を提供するものである。
【発明を実施するための最良の形態】
【００１１】
本発明の請求項１記載の発明は、本体表面パネルに設けられた吸込み口と、本体内部に設けられた吹出し口とを結ぶ空気通路に送風手段を設け、前記吹出し口と本体表面パネルの間に設けられ、前記吹出し口から吹出される風の向きを変更する風向変更装置を有し、風を衣類にあてて衣類を乾燥させる衣類乾燥装置において、前記風向変更装置は、送風方向に対して垂直方向に回転軸を有し、前記回転軸方向に風向きを制御する複数のフィンを備え、前記フィンは前記回転軸の両端に近い２枚の前記フィンを反対に傾斜させるように、もしくは、前記回転軸のどちらか一方の端部に近い前記フィンを前記回転軸に対して略垂直に備えられ、前記回転軸を中心に少なくとも１８０度回転でき、前記回転軸と前記フィンが一体である構成であり、前記回転軸の回転により前記回転軸に対する前記フィンの傾斜角度が変わることで前記フィンにより前記吹出し口から吹出される風向きを変更でき、かつ前記回転軸を中心に１８０度回転する間に、前記風向変更装置の前記フィンが前記本体表面パネルから突出することを特徴とする衣類乾燥装置である。
【００１２】
風向変更装置が衣類乾燥装置本体の表面パネルから突出することにより、衣類と風向変更装置の距離を短くできるため、風向変更装置から出た風が衣類に到達するまでの風の減衰が少なく、衣類乾燥時間を早めることができる。また、前記風向変更装置が一体であるため、通風抵抗が少なくてすみ、送風手段の負荷が少なくてすむため、省エネである。また、風向変更装置を回転させることで風向きの制御ができるため、衣類の量が多く、広範囲に衣類を干す場合には風を広角に広げ、衣類の量が少量、あるいは乾きにくいものを集中的に乾燥する場合には局所的に風を集中させることで、効率よく衣類を乾燥することができる。
【００１３】
また、請求項２記載の発明は、前記回転軸中央から両端に近づくに従い、フィンの傾斜角度が大きくなることを特徴とするもので、吹出し口からの風を広角に広げることができるという作用を有し、広範囲の衣類を効率よく乾燥することができる。
【００１４】
また、請求項３記載の発明は、風向変更装置が、回転により本体表面パネルから突出した際に、フィンが吹出し口側から放射状に広がるよう配置されることを特徴とするもので、風向変更装置と吹出し口との間に空間ができ、その空間で風を広げることができるため、より広角に風を広げることができ、広範囲の衣類を効率よく乾燥することができる。
【００１５】
また、請求項４記載の発明は、回転により風向変更装置と吹出し口との間が最短距離になった際に、前記吹出し口の開口部の両端と、前記風向変更装置のフィンの位置が略一致することを特徴とするもので、吹出し口からの風を風向変更装置の外側に逃すことなく、内部に効率よく導くことができるため、風の損失を最小限にすることができ、効率よく衣類乾燥を行うことができる。
【００１６】
また、請求項５記載の発明は、運転停止時に、風向変更装置が本体表面パネルの内部に収納されることを特徴とするもので、運転停止時の外観を向上することができる。
【００１７】
また、請求項６記載の発明は、前記風向変更装置の回転方向に風向きを変更するフラップを備え、前記フラップと前記風向変更装置は、それぞれ独立で駆動することを特徴とするもので、風向変更装置の回転軸と平行方向の気流は風向変更装置により制御でき、風向変更装置の回転軸と垂直方向の気流はフラップにより制御できるため、任意の位置に気流を送ることができ、厚手の衣類など乾きにくいものに選択的に風を送るなどして適切に風量配分ができるため、効率よく衣類を乾燥できる。
【００１８】
また、請求項７記載の発明は、フラップが、速度可変で往復運動ができる往復運動手段を備えたことを特徴とするもので、フラップの往復運動する速度を変更することで、衣類に供給する風の量を自在に制御できるため、衣類を効率よく乾燥することができる。
【００１９】
また、請求項８記載の発明は、フラップが、複数の往復角で往復運動ができる往復運動手段を備えたことを特徴とするもので、フラップの複数の往復角を変更することで、風向の制御を自在にでき、衣類を効率よく乾燥することができる。
【００２０】
また、請求項９記載の発明は、風向変更装置と、少なくとも１枚以上のフラップを一体化したことを特徴とするもので、部品点数を削減できる。また、風向変更装置とフラップを一体化することで、フラップとフィンとの隙間をなくすことができるため、フラップとフィンとの隙間に生じる風の乱れを少なくすることができ、通風抵抗を削減でき、風の損失を最小限にすることができ、効率よく衣類乾燥を行うことができる。
【００２１】
また、請求項１０記載の発明は、フラップが運転停止時に衣類乾燥装置の表面パネル位置で停止することを特徴とするもので、運転停止時の外観を向上することができる。
【００２２】
また、請求項１１記載の発明は、風向変更装置のフィンに曲率を付けたことを特徴とするもので、吹出し口からの風の流路曲線に沿ってフィンに曲率を備えることで、空気がフィンに付着しやすくなり、剥離による圧力損失が起こりにくくすることができ、風の損失を最小限にすることができ、効率よく衣類乾燥を行うことができる。
【００２３】
また、請求項１２記載の発明は、風向変更装置に、回転の位置決め手段をつけたことを特徴とするもので、回転位置の基準を決めることができるため、任意の角度に風向変更装置を固定する制御が可能となるという作用を有する。
【００２４】
また、請求項１３記載の発明は、本体表面に赤外線センサを設けたことを特徴とするもので、未乾燥の衣類を識別することが可能となるため、風を未乾燥の衣類に集中的に送ることにより効率よく衣類乾燥をすることができる。
【００２５】
また、請求項１４記載の発明は、空気通路内に除湿手段を設けたことを特徴とするもので、乾燥空気を衣類に供給できるため、より効率よく衣類乾燥ができる。
【００２６】
また、請求項１５記載の発明は、空気通路内に加熱手段を設けたことを特徴とするもので、空気中に含める水分量を増やすことができるため、乾燥速度を高めることができる。
【００２７】
また、請求項１６記載の発明は、風向変更装置に、抗菌または／および防カビ加工を施したことを特徴とするもので、風向変更装置上での細菌やカビの繁殖を防ぐことができ、清潔に保つことができる。また、空気中の細菌やカビを抑制できるため、清潔な風を衣類に供給できる。
【００２８】
以下、本発明の実施の形態について図面を参照しながら説明する。
【００２９】
（実施の形態１）
図１に示すように、衣類乾燥装置１１は、本体表面パネル１２に設けられた吸込み口１３と、衣類乾燥装置１１内部に設けられた吹出し口１４とを結ぶ空気通路に送風手段としてのファン１５を設け、ファン１５と吹出し口１４との間に加熱手段としてのヒータ１６を備え、吹出し口１４から吹出される風を効率よく衣類に供給するための風向変更装置１７とフラップ１８を備えた構成である。空気通路内に加熱手段を設けたことで、空気中に含める水分量を増やすことができるため、乾燥速度を高めることができる。加熱手段としては特に限定しないが、カーボンヒータ、セラミックヒータ、ニクロムヒータ、ハロゲンヒータなど一般的に用いられる各種ヒータや、熱交換器を用いて外部から温度を供給するなどの手段を用いることができる。
【００３０】
上記構成において、図２に示すように、風向変更装置２１は一体であり、送風方向に対して垂直方向に回転軸２２を有し、前記回転軸２２方向に風向きを制御する複数の曲率のあるフィン２３ａ、２３ｂ、２３ｃ、２３ｄを備え、前記フィン２３ａ〜２３ｄは前記回転軸の両端に近い２枚の前記フィン２３ａ、２３ｄを反対に傾斜させるように備えられた回転軸を中心に少なくとも１８０度回転できる構成である。ここで、前記フィン２３ａ〜２３ｄは、吹出し口２４中央から離れるに従い、フィンの傾斜角度が大きくなる構成であり、吹出し口からの風を広角に広げることができる。
【００３１】
また、風向変更装置２１の回転軸２２の回転により吹出し口２４から吹出される風向きに対するフィン２３ａ〜２３ｄの角度が変わることで前記フィン２３ａ〜２３ｄにより風向きを変更できる。風向変更装置２１が一体であるため、通風抵抗が少なくてすみ、送風手段の負荷が少なくてすむため、省エネである。また、風向変更装置２１を回転させることで風向きの制御ができるため、衣類の量が多く、広範囲に衣類を干す場合には風を広角に広げ、衣類の量が少量、あるいは乾きにくいものを集中的に乾燥する場合には局所的に風を集中させることで、効率よく衣類を乾燥することができる。なお、ここでは一例として、複数のフィンの配置を回転軸の両端に近い２枚の前記フィンを反対に傾斜させるとしたが、吹出し口と風向変更装置の配置によっては、フィンの配置は回転軸のどちらか一方の端部に近いフィンを回転軸に対して略垂直に備える構成としてもよい。
【００３２】
また、フィンに曲率を付けたことで、吹出し口からの風の流路曲線に沿ってフィンに曲率を備えることで、空気がフィンに付着しやすくなり、剥離による圧力損失を起こりにくくすることができる。
【００３３】
また、図３に示すように、風向変更装置３１は、風向変更装置３１を１８０度回転した際に、風向変更装置３１が衣類乾燥装置の本体表面パネル位置３２から突出するものである。このとき、フィン３３が吹出し口３４側から放射状に広がるよう配置される。また、回転により風向変更装置３１と吹出し口３４との間の距離が最短になった際に、吹出し口３４の開口部の両端と、風向変更装置３１のフィン３３の位置が略一致する構成となっている。フィン３３が吹出し口３４側から放射状に広がるよう配置されることで、風向変更装置３１と吹出し口３４との間に空間ができ、その空間で風を広げることができるため、より広角に風を広げることができる。また、風向変更装置３１と吹出し口３４との間が最短になった際に、吹出し口３４の開口部の両端と、風向変更装置３１のフィン３３の位置が略一致することで、吹出し口３４からの風を風向変更装置３１の外側に逃すことなく、内部に効率よく導くことができる。
【００３４】
また、風向変更装置３１が衣類乾燥装置の本体表面パネル位置３２から突出することにより、衣類と風向変更装置３１の距離を短くできるため、風向変更装置３１から出た風が衣類に到達するまでの風の減衰が少なく、衣類乾燥時間を早めることができる。
【００３５】
また、図４（ａ）、（ｂ）にそれぞれ示すように、風向変更装置４１とフラップ４２はそれぞれ別の往復運動手段であるステッピングモータ４３ａ、４３ｂに連結されており、風向変更装置４１とフラップ４２はそれぞれ独立で駆動するものである。また、ステッピングモータ４３ａ、４３ｂは、速度可変で、複数の往復角で往復運動する制御をする制御手段４４ａ、４４ｂにそれぞれ接続されている。図４（ａ）、（ｂ）に示すように、風向変更装置４１とフラップ４２が独立に駆動できるため、風向変更装置４１の回転軸４５と平行方向の気流は風向変更装置４１により制御でき、風向変更装置４１の回転軸４５と垂直方向の気流はフラップ４２により制御できるため、任意の位置に気流を送ることができる。
【００３６】
また、フラップ４２が、速度可変で往復運動ができる往復運動手段を備えるので、フラップ４２の可動する速度を変更することで、衣類に供給する風の量を自在に制御できる。例えば、厚手の衣類など乾燥しにくい衣類のある範囲ではフラップ４２の速度を遅くすることで衣類に送る風の量を増やし、薄手の衣類など乾燥しやすい衣類のある範囲ではフラップ４２の速度を速くすることで風の量を減らすなど、フラップの可動する速度を制御することで、衣類の乾燥のしやすさに合わせて最適に風を送ることができるため、効率よく衣類乾燥を行うことができる。
【００３７】
また、フラップ４２が、複数の往復角で往復運動ができる往復運動手段を備えるので、フラップ４２の複数の往復角を変更することで、風向の制御を自在にできる。例えば、衣類が少量であれば、往復角を小さくすることで、衣類のある場所だけに集中して風を送ることができ、衣類の量が多ければ、往復角を大きくすることで広範囲に風を均等に送ることができ、フラップの往復運動する往復角を複数に分けて制御することで、衣類の量に合わせて最適に風を送ることができるため、効率よく衣類乾燥を行うことができる。
【００３８】
また、図５に示すように、衣類乾燥装置の運転停止時に、風向変更装置５１が衣類乾燥装置の表面パネル位置５３の内部に収納され、フラップ５２が前記表面パネル位置５３で停止するものであり、運転停止時の外観を向上することができる。
【００３９】
（実施の形態２）
図６に示す衣類乾燥装置の一例は、吸込み口６１から取り入れた空気を、除湿手段としての除湿ロータ６２に送風するための送風手段としての処理ファン６３と、除湿ロータ６２を通過し、除湿された空気を吹出す吹出し口６４と、吹出し口６４から吹出される風を効率よく衣類に供給するための、２枚のフラップを一体化し、抗菌・防カビ加工の施された風向変更装置６５を備え、除湿ロータ６２から湿気を脱着するための加熱再生手段６６と、加熱手段によって暖められた空気を回収し脱着した水を冷却、回収するための熱交換装置６７と、回収した水をためるタンク６８とを有し、本体表面に赤外線センサ６９を備えた構成となっている。除湿ロータ６２は処理ファン６３によって通気され、空気中の水分および臭気および菌を吸着する。そして回転し、加熱再生手段６６であたためられ、除湿ロータ６２から水分が脱着し、熱交換装置６７内で冷やされて液体となりタンク６８に回収される。
【００４０】
上記構成において、空気通路内に除湿手段を設けたことで、乾燥空気を衣類に供給できるため、より効率よく衣類乾燥ができる。除湿手段としては、一例として吸湿材を使用した除湿手段をあげたが、コンプレッサを使用してもよく、既知の方法を用いることができる。
【００４１】
また、本体表面に赤外線センサ６９を設けたことで、未乾燥の衣類を識別することが可能となるため、風を未乾燥の衣類に集中的に送ることにより効率よく衣類乾燥をすることができる。
【００４２】
また、図７に示すように、風向変更装置７１は２枚のフラップ７２を一体化しており、回転軸７３に回転の位置決め手段としてのストッパー板７４が設けられた構成となっている。風向変更装置７１はフラップ７２を一体化しているため、フラップ７２が分かれている場合と比較して部品点数を削減できる。また、フラップを一体化することで、フラップ７２とフィン７５の間などの隙間をなくすことができるため、隙間に生じる風の乱れを少なくすることができ、通風抵抗を削減できる。
【００４３】
また、回転の位置決め手段としてのストッパー板７４が設けられているため、回転位置の基準を決めることができるため、任意の角度に風向変更装置７１を固定する制御が可能である。
【００４４】
また、風向変更装置７１に抗菌または／および防カビ加工を施すことで、細菌やカビの繁殖を防ぐことができ、清潔に保つことができる。また、空気中の細菌やカビを抑制できるため、清潔な風を衣類に供給できる。抗菌材料としては特に限定しないが、例えば抗菌剤として、銀・銅・亜鉛などの金属イオンを溶出する無機化合物、銀・銅・亜鉛の金属微粒子、銀ゼオライト、銀含有リン酸ジルコニウム、ヨウ素化合物類、フェノール類、第４級アンモニウム塩類、イミダゾール化合物類、安息香酸類、過酸化水素、クレゾール、クロルヘキシジン、イルガサン、アルデヒド類、ソルビン酸等の薬剤やリゾチーム・セルラーゼ・プロテアーゼなどの酵素製剤、カテキン類、竹抽出物、ヒノキ抽出物、わさび抽出物、からし抽出物などの天然成分抽出物などが挙げられる。また防カビ剤としては、有機窒素化合物、硫黄系化合物、有機酸エステル類、有機ヨウ素系イミダゾール化合物、ベンザゾール化合物などが挙げられる。
【産業上の利用可能性】
【００４５】
通風抵抗の少ない風向変更装置により、衣類との距離を短くし、かつ広範囲に風を供給でき、少ないエネルギーで効率よく衣類を乾燥することのできる衣類乾燥装置を提供でき、家庭用の浴室乾燥機、除湿機、空気調和装置などへの用途にも適用できる。
【図面の簡単な説明】
【００４６】
【図１】実施の形態１の衣類乾燥装置の断面を示す構成図
【図２】同風向変更装置の模式図
【図３】同模式図
【図４】同風向変更装置とフラップの模式図
【図５】同模式図
【図６】実施の形態２の衣類乾燥装置の断面を示す構成図
【図７】同風向変更装置の模式図
【図８】従来例の衣類乾燥装置の表面パネルの模式図
【図９】従来例の風向変更装置の模式図
【符号の説明】
【００４７】
１１    衣類乾燥装置
１２    本体表面パネル
１３    吸込み口
１４    吹出し口
１５    ファン
１６    ヒータ
１７    風向変更装置
１８    フラップ
２１    風向変更装置
２２    回転軸
２３ａ  フィン
２３ｂ  フィン
２３ｃ  フィン
２３ｄ  フィン
２４    吹出し口
３１    風向変更装置
３２    本体表面パネル位置
３３    フィン
３４    吹出し口
４１    風向変更装置
４２    フラップ
４３ａ  ステッピングモータ
４３ｂ  ステッピングモータ
４４ａ  制御手段
４４ｂ  制御手段
４５    回転軸
５１    風向変更装置
５２    フラップ
５３    表面パネル位置
６１    吸込み口
６２    除湿ロータ
６３    処理ファン
６４    吹出し口
６５    風向変更装置
６６    加熱再生手段
６７    熱交換装置
６８    タンク
６９    赤外線センサ
７１    風向変更装置
７２    フラップ
７３    回転軸
７４    ストッパー板
７５    フィン
１０１  吹出し口
１０２  吹出しグリル
１０３  吹出し風向板ａ
１０４  吹出し風向板ｂ
１０５  吹出し風向板ｃ
２０１  横軸
２０２  横ルーバ
２０３  横ルーバ駆動手段
２０４  吹出し口
２０５  垂直軸
２０６  縦ルーバ
２０７  縦ルーバ駆動手段
【図１】
2010012000.tif 000003
【図２】
2010012000.tif 000004
【図３】
2010012000.tif 000005
【図４】
2010012000.tif 000006
【図５】
2010012000.tif 000007
【図６】
2010012000.tif 000008
【図７】
2010012000.tif 000009
【図８】
2010012000.tif 000010
【図９】
2010012000.tif 000011